(57)【要約】【課題】  表示画面の高輝度化及び階調数の増大を図りつつ視認性を高くすることができるプラズマディスプレイパネル及びその駆動方法を提供する。【解決手段】  複数の表示電極対ＳＣｉの、第１の表示電極対グループＩへの維持放電の間に、書き込み放電及び維持放電の開始時期が異なる第２の表示電極対グループＩＩが書き込み放電を行うよう構成される。表示領域は、第１の表示電極対グループＩの表示電極対が並ぶ第１の表示領域３７と、第２の表示電極対グループＩＩの表示電極対が並ぶ第２の表示領域３８と、第１の表示領域３７と第２の表示領域３８との間に設けられた第３の表示領域３９とを含んでいる。第３の表示領域３９には、第１の表示領域３７と接する領域に第２の表示電極対グループＩＩに属する少なくとも１つの表示電極対が配され、第２の表示領域３８と接する領域に第１の表示電極対グループＩに属する少なくとも１つの表示電極対が配される。【選択図】  図３
2011232464.tif 000002
【特許請求の範囲】
【請求項１】
走査電極及び維持電極で構成された複数の表示電極対と、前記複数の表示電極対に立体交差する複数のデータ電極と、前記表示電極対と前記データ電極が立体交差する位置ごとに形成された放電セルと、前記複数の放電セルで構成された表示領域と、前記走査電極から前記表示領域より外部へ伸延した走査引き出し電極と、前記維持電極から前記表示領域より外部へ伸延した複数の維持引き出し電極とを備え、
前記複数の表示電極対は、前記放電セルで書き込み放電を発生させる期間及び前記放電セルで維持放電を発生させる期間の開始時期が異なる複数の表示電極対グループを有し、一の表示電極対グループ（以下、第１の表示電極対グループ）が維持放電を行う間に少なくとも他の一の表示電極対グループ（以下、第２の表示電極対グループ）が書き込み放電を行うよう構成され、
前記表示領域は、前記第１の表示電極対グループに属する前記表示電極対が連続して並ぶ第１の表示領域と、前記第２の表示電極対グループに属する前記表示電極対が連続して並ぶ第２の表示領域と、前記第１の表示領域と前記第２の表示領域との間に設けられた第３の表示領域とを含み、
前記第３の表示領域に配される前記表示電極対は、前記第１の表示領域と接する領域に配された前記第２の表示電極対グループに属する少なくとも１つの前記表示電極対と、前記第２の表示領域と接する領域に配された前記第１の表示電極対グループに属する少なくとも１つの前記表示電極対とを含む、プラズマディスプレイパネル。
【請求項２】
前記第３の表示領域の前記表示電極対に対応する前記走査引き出し電極及び／又は前記維持引き出し電極間の間隔は、前記第１の表示領域及び前記第２の表示領域の前記表示電極対に対応する前記走査引き出し電極及び／又は前記維持引き出し電極間の間隔より広い、請求項１に記載のプラズマディスプレイパネル。
【請求項３】
前記第３の表示領域は、前記第１の表示電極対グループに属する２以上の前記表示電極対からなる第１部と前記第２の表示電極対グループに属する２以上の前記表示電極対からなる第２部とが交互に並んでいるよう構成され、
前記第３の表示領域において隣り合う走査電極対の属する前記表示電極対グループが互いに異なる走査電極から伸延された走査引き出し電極及び／又は維持引き出し電極間の間隔は、前記第３の表示領域において隣り合う走査電極対の属する前記表示電極対グループが同じである走査電極から伸延された走査引き出し電極及び／又は維持引き出し電極間の間隔より広い、請求項１又は２に記載のプラズマディスプレイパネル。
【請求項４】
前記第３の表示領域の平均輝度は、前記第１の表示領域の輝度と前記第２の表示領域の輝度との間の輝度である請求項１から３の何れかに記載のプラズマディスプレイパネル。
【請求項５】
前記第３の表示領域は、前記表示領域全体の中央に位置する、請求項１から４の何れかに記載のプラズマディスプレイパネル。
【請求項６】
走査電極及び維持電極で構成された複数の表示電極対と、前記複数の表示電極対に立体交差する複数のデータ電極と、前記表示電極対と前記データ電極が立体交差する位置ごとに形成された放電セルと、前記複数の放電セルで構成された表示領域と、前記走査電極から前記表示領域より外部へ伸延した走査引き出し電極と、前記維持電極から前記表示領域より外部へ伸延した複数の維持引き出し電極とを備え、前記表示領域が第１の表示領域と第２の表示領域と前記第１の表示領域及び前記第２の表示領域の間に設けられた第３の表示領域とを有するプラズマディスプレイパネルの駆動方法であって、
前記第１の表示領域における表示電極対へ維持放電する間に、前記第２の表示領域における表示電極対へ書き込み放電を行うとともに、前記第３の表示領域において並列配置された複数の表示電極対のうち少なくとも１つ置きの表示電極対へ維持放電を行い、前記第３の表示領域における前記表示電極対のうち残りの表示電極対へ書き込み放電を行う、プラズマディスプレイパネルの駆動方法。
【請求項７】
前記第３の表示領域の前記表示電極対に対応する前記走査引き出し電極及び／又は前記維持引き出し電極間の間隔は、前記第１の表示領域及び前記第２の表示領域の前記表示電極対に対応する前記走査引き出し電極及び／又は前記維持引き出し電極間の間隔より広い、請求項６に記載のプラズマディスプレイパネルの駆動方法。
【請求項８】
前記第１の表示領域における表示電極対へ維持放電する間に、前記第３の表示領域において並列配置された複数の表示電極対のうち少なくとも２つ置きの表示電極対へ維持放電を行い、前記第３の表示領域における前記表示電極対のうち残りの表示電極対へ書き込み放電を行うこととし、
前記第３の表示領域において前記第１の表示領域における表示電極対へ維持放電する間に書き込み放電を行う複数の表示電極対に対応する前記走査引き出し電極及び／又は前記維持引き出し電極間の間隔は、前記第３の表示領域において前記第１の表示領域における表示電極対へ維持放電する間に維持放電を行う表示電極対に対応する前記走査引き出し電極及び／又は前記維持引き出し電極と、前記第３の表示領域において前記第１の表示領域における表示電極対へ維持放電する間に書き込み放電を行う表示電極対に対応する前記走査引き出し電極及び／又は前記維持引き出し電極との間の間隔より広い、請求項６又は７に記載のプラズマディスプレイパネルの駆動方法。
【発明の詳細な説明】
【技術分野】
【０００１】
本発明は、プラズマディスプレイパネル及びプラズマディスプレイパネルの駆動方法に関し、特にパネル構造が高精細なものに関する。
【背景技術】
【０００２】
プラズマディスプレイパネル（以下、「ＰＤＰ」と略記する）として代表的な交流面放電型パネルは、対向配置された前面基板と背面基板との間に多数の放電セルが形成されている。
【０００３】
前面基板には走査電極と維持電極とからなる表示電極対が互いに平行に複数対形成され、背面基板にはデータ電極が平行に複数形成されている。そして、表示電極対とデータ電極とが立体交差するように前面基板と背面基板とが対向配置されて密封され、内部の放電空間には放電ガスが封入されている。ここで表示電極対とデータ電極との対向する部分に放電セルが形成される。
【０００４】
ＰＤＰを駆動する方法としては、１フィールドを、輝度重み付けされた複数のサブフィールドに分割した上で、発光させるサブフィールドの組み合わせによって階調表示を行うサブフィールド法が用いられる。各サブフィールドは、初期化期間、書き込み期間及び維持期間を有する。初期化期間では初期化放電を発生し、続く書き込み動作に必要な壁電荷を形成する。書き込み期間では、表示する画像に応じて選択的に放電セルで書き込み放電を発生し壁電荷を形成する。そして維持期間では、走査電極と維持電極とからなる表示電極対に交互に維持パルスを印加して輝度重みに応じた時間だけ維持放電を発生させ、対応する放電セルの蛍光体層を発光させることにより画像表示を行う。
【０００５】
このような駆動方法において、ＰＤＰの高輝度化及び階調数の増大を図るための方法として、例えば、特許文献１には、表示電極対を複数のグループに分け、複数のブロックのうち２つ以上のブロックの書き込み期間が時間的に重ならないように、それぞれのブロックの、サブフィールドの開始時間をずらして設定した駆動方法（以下、略してブロック駆動方法と記す）が開示されている。
【０００６】
この駆動方法によれば、あるグループの書き込み期間に他のグループの維持期間を重ねて駆動することができるので、１サブフィールドの駆動時間を短縮でき、その分、１フィールド内に設定するサブフィールド数を増やすことができる。
【先行技術文献】
【特許文献】
【０００７】
【特許文献１】特開２００５−１５７３３８号公報
【発明の概要】
【発明が解決しようとする課題】
【０００８】
しかしながら、上記のようなブロック駆動方法では、ブロックごとに走査電極波形回路と維持電極波形回路とを設計し、各ブロックの表示電極対を連続的に配列して表示させると、回路のわずかなインピーダンス差によりブロックの境界で輝度差が目立つため、視認性が著しく低下する。
【０００９】
本発明は、このような課題に鑑みてなされたものであり、表示画面の高輝度化及び階調数の増大を図りつつ、視認性を高くすることができるプラズマディスプレイパネル及びその駆動方法を提供することを目的とする。
【課題を解決するための手段】
【００１０】
前記課題を解決するために、本発明に係るプラズマディスプレイパネルは、走査電極及び維持電極で構成された複数の表示電極対と、前記複数の表示電極対に立体交差する複数のデータ電極と、前記表示電極対と前記データ電極が立体交差する位置ごとに形成された放電セルと、前記複数の放電セルで構成された表示領域と、前記走査電極から前記表示領域より外部へ伸延した走査引き出し電極と、前記維持電極から前記表示領域より外部へ伸延した複数の維持引き出し電極とを備え、前記複数の表示電極対は、前記放電セルで書き込み放電を発生させる期間及び前記放電セルで維持放電を発生させる期間の開始時期が異なる複数の表示電極対グループを有し、一の表示電極対グループ（以下、第１の表示電極対グループ）が維持放電を行う間に少なくとも他の一の表示電極対グループ（以下、第２の表示電極対グループ）が書き込み放電を行うよう構成され、前記表示領域は、前記第１の表示電極対グループの前記表示電極対が連続して並ぶ第１の表示領域と、前記第２の表示電極対グループの前記表示電極対が連続して並ぶ第２の表示領域と、前記第１の表示領域と前記第２の表示領域との間に設けられた第３の表示領域とを含み、前記第３の表示領域に配される前記表示電極対は、前記第１の表示領域と接する領域に配された前記第２の表示電極対グループに属する少なくとも１つの前記表示電極対と、前記第２の表示領域と接する領域に配された前記第１の表示電極対グループに属する少なくとも１つの前記表示電極対とを含んでいる。
【００１１】
上記構成によれば、第１の表示電極対グループの書き込み放電を行う間に第２の表示電極対グループの維持放電を行うことができるので、１サブフィールドの駆動時間を短縮でき、その分、１フィールド内に設定するサブフィールド数を増やすことができる。しかも、このように維持放電のタイミングがずれる表示電極対グループが連続して並ぶ第１の表示領域と第２の表示領域との間の第３の表示領域に配される表示電極対は、第１の表示領域と接する領域に配された第２の表示電極対グループに属する少なくとも１つの表示電極対と、第２の表示領域と接する領域に配された第１の表示電極対グループに属する少なくとも１つの表示電極対とを含んでいるため、第１の表示領域と第２の表示領域との間に第１の表示電極対グループに属する少なくとも１つの表示電極対と第２の表示電極対グループに属する少なくとも１つの表示電極対とが交互に並ぶこととなる。したがって、第１の表示領域と第２の表示領域との間で輝度差が緩やかに変化するため、第１の表示領域と第２の表示領域との間で視認性が悪化するのを防止することができる。したがって、表示画面の高輝度化及び階調数の増大を図りつつ視認性を高くすることができる。
【００１２】
前記第３の表示領域の前記表示電極対に対応する前記走査引き出し電極及び／又は前記維持引き出し電極間の間隔は、前記第１の表示領域及び前記第２の表示領域の前記表示電極対に対応する前記走査引き出し電極及び／又は前記維持引き出し電極間の間隔より広くてもよい。
【００１３】
特許文献１においては、あるブロックの維持期間に他のブロックへの書き込み動作を行う際、ブロック境界の走査電極間で高い電位差が生じるため、引き出し電極間で絶縁破壊が生じる可能性がある。この課題について図１７を用いて説明する。図１７は従来のプラズマディスプレイパネルを示す電極配線図である。図１７に示すように、ブロック１では走査電極ＳＣ１〜ＳＣ１０８０と維持電極ＳＵ１〜ＳＵ１０８０とに交互に維持電圧Ｖｓを印加し、維持放電を行う。この際、ブロック２はデータ電極Ｄ１〜Ｄｍと同期をとり走査電極ＳＣ１０８１〜ＳＣ２１６０に負の電位Ｖｓｃを印加し書き込みを行う。つまり、ブロック境界部は、維持電圧Ｖｓ＋書き込み電圧Ｖｓｃの電位差が生じ、絶縁破壊が生じる可能性がある。ＰＤＰ内は減圧されているためブロック間での絶縁破壊は発生しないが、高精細化に伴いＰＤＰの外部に延出される走査電極の引き出し電極の間隔がより狭くなると引き出し電極間で絶縁破壊が生じる可能性がある。また、放電空間が狭い壁での電荷ロスが増大するとさらにＶｓを高く設定する必要があるため、絶縁破壊がより発生する。
【００１４】
このような課題に対し、本発明が上記構成を有することにより、表示領域内での表示電極対の間隔を狭くしても引き出し電極間の間隔は広いため、高精細化を実現しつつ引き出し電極間での絶縁破壊の発生を防止することができる。
【００１５】
前記第３の表示領域は、前記第１の表示電極対グループに属する２以上の前記表示電極対からなる第１部と前記第２の表示電極対グループに属する２以上の前記表示電極対からなる第２部とが交互に並んでいるよう構成され、前記第３の表示領域において隣り合う走査電極対の属する前記表示電極対グループが互いに異なる走査電極から伸延された走査引き出し電極及び／又は維持引き出し電極間の間隔は、前記第３の表示領域において隣り合う走査電極対の属する前記表示電極対グループが同じである走査電極から伸延された走査引き出し電極及び／又は維持引き出し電極間の間隔より広くてもよい。
【００１６】
前記第３の表示領域の平均輝度は、前記第１の表示領域の輝度と前記第２の表示領域の輝度との間の輝度としてもよい。
【００１７】
前記第３の表示領域は、前記表示領域全体の中央に位置してもよい。
【００１８】
また、本発明に係るプラズマディスプレイパネルの駆動方法は、走査電極及び維持電極で構成された複数の表示電極対と、前記複数の表示電極対に立体交差する複数のデータ電極と、前記表示電極対と前記データ電極が立体交差する位置ごとに形成された放電セルと、前記複数の放電セルで構成された表示領域と、前記走査電極から前記表示領域より外部へ伸延した走査引き出し電極と、前記維持電極から前記表示領域より外部へ伸延した複数の維持引き出し電極とを備え、前記表示領域が第１の表示領域と第２の表示領域と前記第１の表示領域及び前記第２の表示領域の間に設けられた第３の表示領域とを有するプラズマディスプレイパネルの駆動方法であって、前記第１の表示領域における表示電極対へ維持放電する間に、前記第２の表示領域における表示電極対へ書き込み放電を行うとともに、前記第３の表示領域において並列配置された複数の表示電極対のうち少なくとも１つ置きの表示電極対へ維持放電を行い、前記第３の表示領域における表示電極対のうちの残りの表示電極対へ書き込み放電を行うものである。
【００１９】
上記方法によれば、第１の表示領域における表示電極対へ維持放電する間に第２の表示領域における表示電極対への書き込み放電を重ねて駆動することができるので、１サブフィールドの駆動時間を短縮でき、その分、１フィールド内に設定するサブフィールド数を増やすことができる。しかも、このように維持放電のタイミングがずれる第１の表示領域と第２の表示領域との間の第３の表示領域において、第１の表示領域におけるのと同様に駆動する少なくとも１つの表示電極対と第２の表示領域におけるのと同様に駆動する少なくとも１つの表示電極対とが交互に並んでおり、第１の表示領域と第２の表示領域との間で輝度差が緩やかに変化するため、第１の表示領域と第２の表示領域との間で視認性が悪化するのを防止することができる。したがって、表示画面の高輝度化及び階調数の増大を図りつつ視認性を高くすることができる。
【００２０】
前記第３の表示領域の前記表示電極対に対応する前記走査引き出し電極及び／又は前記維持引き出し電極間の間隔は、前記第１の表示領域及び前記第２の表示領域の前記表示電極対に対応する前記走査引き出し電極及び／又は前記維持引き出し電極間の間隔より広くてもよい。
【００２１】
これにより、表示領域内での表示電極対の間隔を狭くしても引き出し電極間の間隔は広いため、高精細化を実現しつつ引き出し電極間での絶縁破壊の発生を防止することができる。
【００２２】
前記第１の表示領域における表示電極対へ維持放電する間に、前記第３の表示領域において並列配置された複数の表示電極対のうち少なくとも２つ置きの表示電極対へ維持放電を行い、前記第３の表示領域における前記表示電極対のうち残りの表示電極対へ書き込み放電を行うこととし、前記第３の表示領域において前記第１の表示領域における表示電極対へ維持放電する間に書き込み放電を行う複数の表示電極対に対応する前記走査引き出し電極及び／又は前記維持引き出し電極間の間隔は、前記第３の表示領域において前記第１の表示領域における表示電極対へ維持放電する間に維持放電を行う表示電極対に対応する前記走査引き出し電極及び／又は前記維持引き出し電極と、前記第３の表示領域において前記第１の表示領域における表示電極対へ維持放電する間に書き込み放電を行う表示電極対に対応する前記走査引き出し電極及び／又は前記維持引き出し電極との間の間隔より広いこととしてもよい。
【発明の効果】
【００２３】
本発明は以上に説明したように構成され、表示画面の高輝度化及び階調数の増大を図りつつ視認性を高くすることができるという効果を奏する。
【図面の簡単な説明】
【００２４】
【図１】本発明の実施の形態１〜４に係るＰＤＰの構造を示す分解斜視図
【図２】図１に示されるＰＤＰの電極配列図
【図３】図１に示されるＰＤＰの引き出し電極部を模式的に示す部分拡大図
【図４】図１に示されるＰＤＰを有するプラズマディスプレイ装置を示す回路ブロック図
【図５】図４に示されるプラズマディスプレイ装置の走査電極駆動回路を示す回路図
【図６】図４に示されるプラズマディスプレイ装置の維持電極駆動回路を示す回路図
【図７】図４に示されるプラズマディスプレイ装置における駆動電圧波形及び放電の時期を示すタイミングチャート図
【図８】図４に示されるプラズマディスプレイ装置における駆動電圧波形を示すグラフ
【図９】本発明の実施の形態２に係るＰＤＰの引き出し電極部を示す模式図
【図１０】図９に示されるＰＤＰを有するプラズマディスプレイ装置における駆動電圧波形及び放電の時期を示すタイミングチャート図
【図１１】本発明の実施の形態３に係るＰＤＰの引き出し電極部を示す模式図
【図１２】図１１に示されるＰＤＰを有するプラズマディスプレイ装置における駆動電圧波形と放電の時期を示すタイミングチャート図
【図１３】本発明の実施の形態４に係るＰＤＰの表示領域を示す模式図
【図１４】図１３に示される第３の表示領域の引き出し電極部を示す模式図
【図１５】図１３に示される第３の表示領域の引き出し電極部を示す模式図
【図１６】図１３に示されるＰＤＰを有するプラズマディスプレイ装置における駆動電圧波形及び放電の時期を示すタイミングチャート図
【図１７】従来の駆動方法におけるＰＤＰの電極配列図
【発明を実施するための形態】
【００２５】
本発明の実施の形態に係るプラズマディスプレイパネル（以下、単にＰＤＰとも略記する）及びその駆動方法について、図面を用いて説明する。
【００２６】
[実施の形態１]
(パネル構造)
図１は、本発明の実施の形態１に係るＰＤＰ１０の構造を示す分解斜視図である。ガラス製の前面基板２１上には、走査電極２２と維持電極２３とで構成された表示電極対２４が複数形成されている。表示電極対２４を形成する走査電極２２と維持電極２３との間の放電ギャップで放電を発生させ、光を取り出すために、走査電極２２は幅の広い透明電極２２ａを有し、維持電極２３も幅の広い透明電極２３ａを有している。そして透明電極２２ａ，２３ａの上の放電ギャップから遠い位置に幅の狭いバス電極２２ｂ，２３ｂが積層されている。隣接する表示電極対２４の間には、光を遮断するブラックストライプ２９が設けられている。そして走査電極２２と維持電極２３とブラックストライプ２９とを覆うように前面基板２１上に誘電体層２５が形成され、その誘電体層２５上に保護層２６が形成されている。
【００２７】
背面基板３１上にはデータ電極３２が複数形成され、データ電極３２を覆うように誘電体層３３が形成され、さらにその上に格子状の隔壁３４が形成されている。そして、隔壁３４の側面及び誘電体層３３上には赤色、緑色及び青色の各色に発光する蛍光体層３５が設けられている。
【００２８】
これら前面基板２１と背面基板３１とは、微小な放電空間を挟んで表示電極対２４とデータ電極３２とが立体交差するように対向配置され、その外周部は、ガラスフリットＦ（図３参照）の封着材によって封着されている。そして放電空間には、例えばネオンとキセノンとの混合ガスが放電ガスとして封入されている。放電空間は隔壁３４によって複数の区画に仕切られており、表示電極対２４とデータ電極３２とが立体交差する位置のそれぞれに放電セルが形成されている。そしてこれらの放電セル内において放電ガスが放電し、放電により発生した紫外線が各蛍光体を励起発光させることにより画像が表示される。ガラスフリットＦによりＰＤＰ１０内（ガラスフリットＦの内側）は減圧されるため、表示電極対間では絶縁破壊は発生しないが、ガラスフリットＦの外側においては引き出し電極間に高い電位差が生じるとその間隔によっては絶縁破壊が生じ得る。
【００２９】
なお、ＰＤＰ１０の構造は上述したものに限られるわけではなく、例えばストライプ状の隔壁を備えたものであってもよい。
【００３０】
図２は、図１に示されるＰＤＰ１０の電極配列図である。ＰＤＰ１０には、行方向（ライン方向）に長いｎ本の走査電極ＳＣ１〜ＳＣｎ（図１の走査電極２２）及びｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）及び維持電極ＳＵｉと１つのデータ電極Ｄｊ（ｊ＝１〜ｍ）とが立体交差した部分に放電セルＣ（図２においては１つのみ例示している）が形成され、放電セルＣは放電空間内にｍ×ｎ個形成し、一画面の表示領域としている。そして、さらにｎ本の走査電極ＳＣｉ（ｉ＝１〜ｎ）及びｎ本の維持電極ＳＵｉによるｎ対の表示電極対（図１の表示電極対２４）は、複数（本実施の形態においては２つ）の表示電極対グループに分けられている。表示電極対の数については特に制限はないが、本実施の形態においては、ｎ＝２１６０として、ＰＤＰ１０を駆動する駆動方法について説明する。
【００３１】
本実施の形態において、ＰＤＰ１０の走査電極ＳＣ１〜１０７９及びＳＣ１０８１と維持電極ＳＵ１〜１０７９及びＳＵ１０８１との表示電極対は第１の表示電極対グループＩを形成し、走査電極ＳＣ１０８０及びＳＣ１０８２〜２１６０と維持電極ＳＵ１０８０及びＳＵ１０８２〜２１６０との表示電極対は第２の表示電極対グループＩＩを形成している。２つの表示電極対グループは書き込み期間が時間的に重ならないように、それぞれの表示電極対グループの、サブフィールドの開始時期が異なるように設定される。
【００３２】
ＰＤＰ１０の表示領域３６は、第１の表示領域３７と、第２の表示領域３８と、第１の表示領域３７と第２の表示領域３８との間に設けられた第３の表示領域３９とを含んでいる。１〜１０７９ラインは第１の表示領域３７に含まれており、第１の表示電極対グループＩが連続して並んでいる。１０８２〜２１６０ラインは第２の表示領域３８に含まれており、第２の表示電極対グループＩＩが連続して並んでいる。１０８０〜１０８１ラインは、第３の表示領域３９に含まれており、第１の表示電極対グループＩに属する少なくとも１つの表示電極対と第２の表示電極対グループＩＩに属する少なくとも１つの表示電極対とが混在している。つまり、第３の表示領域３９に配される前記表示電極対は、第１の表示領域３７と接する領域に配された第２の表示電極対グループＩＩに属する少なくとも１つの表示電極対と、第２の表示領域３８と接する領域に配された第１の表示電極対グループＩに属する少なくとも１つの表示電極対とを含んでいる。言い換えると、第１の表示領域３７における第１の表示電極対グループＩに属する表示電極対と第３の表示領域３９における第１の表示電極対グループＩに属する表示電極対との間に第３の表示領域３９における第２の表示電極対グループＩＩに属する表示電極対が配設され、第２の表示領域３８における第２の表示電極対グループＩＩに属する表示電極対と第３の表示領域３９における第２の表示電極対グループＩＩに属する表示電極対との間に第３の表示領域３９における第１の表示電極対グループＩに属する表示電極対が配設されている。
【００３３】
なお、本実施の形態では、第１の表示電極対グループＩに属する１つの表示電極対と第２の表示電極対グループＩＩに属する１つの表示電極対とが交互に並んでいる構成について説明する。すなわち、第１の表示領域３７における表示電極対の維持期間中に、第２の表示領域３８における表示電極対へ書き込み放電を行うとともに、第３の表示領域３９において並列配置された複数の表示電極対のうち少なくとも１つ置きの表示電極対へ維持放電を行い、第３の表示領域３９における表示電極対のうちの残りの表示電極対へ書き込み放電を行うことについて説明する。しかしながら、本発明はこれに限られず、例えば第１の表示電極対グループＩに属する２以上の表示電極対と第２の表示電極対グループＩＩに属する２以上の表示電極対とが交互に並んで（すなわち、２つ以上置きに表示電極対グループが異なるように配列されて）いてもよい。また、本実施の形態においては、異なる表示電極対グループが交互に並んだ表示電極対の組は１組だけである（第３の表示領域３９は２つの表示電極対で構成されている）が、２組以上設けることとしてもよい。
【００３４】
（引き出し電極の構成）
図３は、図１に示されるＰＤＰ１０の走査引き出し電極部を模式的に示す部分拡大図である。図３に示すように、走査電極ＳＣｉの端部から表示領域より外部へ伸延した走査引き出し電極４０の間隔（スペース）は、第１の表示領域３７の走査電極ＳＣ１〜ＳＣ１０７９に対応する各走査引き出し電極間の間隔を第１の引き出し電極間間隔Ｓ１とし、第２の表示領域３８の走査電極ＳＣ１０８２〜ＳＣ２１６０に対応する各走査引き出し電極間の間隔を第２の引き出し電極間間隔Ｓ２とし、第３の表示領域３９の走査電極ＳＣ１０７９〜ＳＣ１０８２に対応する各走査引き出し電極間の間隔を第３の引き出し電極間間隔Ｓ３とするとき、第３の引き出し電極間隔Ｓ３は第１の引き出し電極間隔Ｓ１及び第２の引き出し電極間隔Ｓ２より広く設定される。第１の引き出し電極間間隔Ｓ１と第２の引き出し電極間間隔Ｓ２とは同じ幅でもよい。例えば、引き出し電極の幅を０．２６ｍｍとするとき、各引き出し電極間間隔をＳ１＝０．２６ｍｍ、Ｓ２＝０．２６ｍｍ、Ｓ３＝０．５２ｍｍに設定すればよい。この構成によれば、第３の表示領域において異なる表示電極対グループが隣接し、それに対応する引き出し電極間に高い電圧差Ｖｓが生じても、絶縁破壊が発生しない十分な距離を保つことができる。なお、誘電体層の誘電率やパネル構造によって絶縁破壊に至る電極間距離は異なるため、それに応じて引き出し電極間間隔も適宜設定される。
【００３５】
（プラズマディスプレイ装置１００の回路構成）
図４は、図１に示されるＰＤＰ１０を有するプラズマディスプレイ装置１００を示す回路ブロック図である。プラズマディスプレイ装置１００は、ＰＤＰ１０、画像信号処理回路４１、データ電極駆動回路４２、走査電極駆動回路４３ａ，４３ｂ、維持電極駆動回路４４ａ，４４ｂ、タイミング発生回路４５及び各回路ブロックに必要な電源を供給する電源回路（図示せず）を備えている。
【００３６】
画像信号処理回路４１は、画像信号を、サブフィールドごとの発光又は非発光を示す画像データに変換する。データ電極駆動回路４２は、ｍ本のデータ電極Ｄ１〜Ｄｍのそれぞれに書き込みパルス電圧Ｖｄ又は０（Ｖ）を印加するためのｍ個のスイッチを備えている。そして画像信号処理回路４１から出力された画像データを各データ電極Ｄ１〜Ｄｍに対応する書き込みパルスに変換し、各データ電極Ｄ１〜Ｄｍに印加する。
【００３７】
タイミング発生回路４５は水平同期信号、垂直同期信号を基にして各回路の動作を制御する各種のタイミング信号を発生して各回路に供給する。
【００３８】
タイミング発生回路４５は、垂直同期信号Ｖから一定時間経過した時点でフィールド開始信号を生成し、このフィールド開始信号を起点に各サブフィールドの初期化期間、アドレス期間、維持期間の開始を指示するタイミング信号を生成する。さらに、各期間の開始を指示するタイミング信号を起点としてクロックをカウントすることにより、各駆動回路４２，４３ａ，４３ｂ，４４ａ，４４ｂにパルス発生のタイミングを指示するタイミング信号を生成して、各駆動回路に出力する。
【００３９】
走査電極駆動回路４３ａはタイミング信号に基づいて、第１の表示電極対グループＩに属する走査電極ＳＣ１〜ＳＣ１０７９及びＳＣ１０８１を駆動し、走査電極駆動回路４３ｂはタイミング信号に基づいて、第２の表示電極対グループＩＩに属する走査電極ＳＣ１０８０及びＳＣ１０８２〜ＳＣ２１６０を駆動する。また維持電極駆動回路４４ａはタイミング信号に基づいて、第１の表示電極対グループＩに属する維持電極ＳＵ１〜ＳＵ１０７９及びＳＵ１０８１を駆動し、維持電極駆動回路４４ｂはタイミング信号に基づいて、第２の表示電極対グループＩＩに属する維持電極ＳＵ１０８０及びＳＵ１０８２〜ＳＵ２１６０を駆動する。ＰＤＰ１０から伸延された引き出し電極は、表示電極対における１〜２１６０ラインの並びの順で配列された状態で走査電極駆動回路４３及び維持電極駆動回路４４に接続されている。
【００４０】
図５は、図４に示されるプラズマディスプレイ装置１００の走査電極駆動回路４３ａを示す回路図である。走査電極駆動回路４３ａは、維持パルス発生回路５０、初期化波形発生回路６０及び走査パルス発生回路７０を備えている。
【００４１】
維持パルス発生回路５０は、電力回収用のコンデンサＣ５１、スイッチング素子Ｑ５１，Ｑ５２、逆流防止用のダイオードＤ５１，Ｄ５２及び共振用のインダクタＬ５１を有しており、これらが電力回収部を構成している。さらに、維持パルス発生回路５０は、電圧クランプ部を構成するスイッチング素子Ｑ５５，Ｑ５６を有している。そして維持パルス発生回路５０は、走査電極ＳＣ１〜ＳＣ１０８０に維持パルスを印加するよう構成されている。
【００４２】
電力回収部では、表示電極対間の電極間容量とインダクタＬ５１とをＬＣ共振させて維持パルスの立ち上がり及び立ち下がり動作を行う。維持パルスの立ち上がり時には、電力回収用のコンデンサＣ５１に蓄えられている電荷をスイッチング素子Ｑ５１、ダイオードＤ５１及びインダクタＬ５１を介して表示電極対間の電極間容量に移動させる。維持パルスの立ち下がり時には、表示電極対間の電極間容量に蓄えられた電荷を、インダクタＬ５１、ダイオードＤ５２及びスイッチング素子Ｑ５２を介して電力回収用のコンデンサＣ５１に戻す。このように、電力回収部はＬＣ共振を用いて表示電極の駆動を行うため、理想的には電源からほとんど電力供給されることなく、消費電力０で駆動できる。
【００４３】
なお、電力回収用のコンデンサＣ５１は電極間容量に比べて十分に大きい容量を持ち、電力回収部の電源として働くように、電圧Ｖｓの半分の約Ｖｓ／２に充電されている。
【００４４】
電圧クランプ部においては、スイッチング素子Ｑ５５を介して表示電極を電源に接続して電圧Ｖｓにクランプする。また、スイッチング素子Ｑ５６を介して表示電極を接地して０（Ｖ）にクランプする。したがって、電圧クランプ部による電圧印加時のインピーダンスは小さく、強い維持放電による大きな放電電流を安定して流すことができる。
【００４５】
こうして維持パルス発生回路５０は、スイッチング素子Ｑ５１，Ｑ５２，Ｑ５５，Ｑ５６を制御することによって、走査電極ＳＣ１〜ＳＣ１０７９及びＳＣ１０８１に維持パルスを印加する。なお、これらのスイッチング素子は、ＭＯＳＦＥＴやＩＧＢＴ等の一般に知られた素子を用いて構成することができる。
【００４６】
初期化波形発生回路６０は、初期化期間において走査電極ＳＣ１〜ＳＣ１０７９及びＳＣ１０８１に緩やかに上昇する傾斜波形電圧を印加するためのミラー積分回路６１と、緩やかに下降する傾斜波形電圧を印加するためのミラー積分回路６２とを備えている。さらに、初期化波形発生回路６０は、分離スイッチとして機能するスイッチング素子Ｑ６３，Ｑ６４を有している。スイッチング素子Ｑ６３、Ｑ６４は、維持パルス発生回路５０及び初期化波形発生回路６０を構成するスイッチング素子の寄生ダイオードを介して電流が逆流するのを防止するために設けられている。
【００４７】
このような初期化波形発生回路６０によって、最高電圧４００Ｖ以上の初期化パルスを、走査電極ＳＣ１〜ＳＣ１０７９及びＳＣ１０８１に一括して印加することができる。
【００４８】
走査パルス発生回路７０は、必要に応じて走査電圧Ｖａを走査電極ＳＣ１に印加するためのスイッチング素子Ｑ７１Ｈ１及びＱ７１Ｌ１を有する。走査電極ＳＣ２〜ＳＣ１０７９及びＳＣ１０８１にも同様にスイッチング素子が設けられる。走査電極ＳＣ１〜ＳＣ１０７９及びＳＣ１０８１には、上述したタイミングで走査電圧Ｖａが順次印加される。
【００４９】
なお、図４に示す走査電極駆動回路４３ｂの回路構成についても、図６に示す走査電極駆動回路４３ａと同様であり、走査電極ＳＣ１０８０及びＳＣ１０８２〜ＳＣ２１６０には、走査電極ＳＣ１〜ＳＣ１０７９及びＳＣ１０８１とは異なるタイミングで走査電圧Ｖａが順次印加される。
【００５０】
図６は、図４に示されるプラズマディスプレイ装置１００の維持電極駆動回路４４ａを示す回路図である。維持電極駆動回路４４ａは、維持パルス発生回路８０、一定電圧発生回路９０を備えている。
【００５１】
維持パルス発生回路８０は、走査電極駆動回路４３ａにおける維持パルス発生回路５０と同様の構成を有している。より詳しくは、維持パルス発生回路８０は、電力回収用のコンデンサＣ８１、スイッチング素子Ｑ８１，Ｑ８２、逆流防止用のダイオードＤ８１，Ｄ８２及び共振用のインダクタＬ８１を有しており、これらが電力回収部を構成している。さらに、維持パルス発生回路８０は、電圧クランプ部を構成するスイッチング素子Ｑ８５，Ｑ８６を有している。そして、維持パルス発生回路５０は、維持電極ＳＵ１〜ＳＵ１０７９及びＳＵ１０８１に維持パルスを印加するよう構成される。
【００５２】
一定電圧発生回路９０は、スイッチング素子Ｑ９１と逆流防止用のダイオードＤ９１とを有し、初期化期間において正の電圧Ｖｅ１を維持電極ＳＵ１〜ＳＵ１０７９及びＳＵ１０８１に印加する。さらに、一定電圧発生回路９０は、スイッチング素子Ｑ９２と逆流防止用のダイオードＤ９２とを有し、書き込み期間において維持電極ＳＵ１〜ＳＵ１０７９及びＳＵ１０８１に正の電圧Ｖｅ１を印加するよう構成される。
【００５３】
なお、図４に示す維持電極駆動回路４４ｂは図６に示す維持電極駆動回路４４ａと同様の構成を有しており、維持電極駆動回路４４ｂは、維持電極ＳＵ１０８０及びＳＣ１０８２〜ＳＣ２１６０に初期化期間及び書き込み期間において正の電圧Ｖｅ１を印加するよう構成される。
【００５４】
（ＰＤＰ１０の駆動電圧波形の詳細とその動作）
上記構成のプラズマディスプレイ装置の動作を図７に示すタイムチャートを参照しながら説明する。図７は図４に示されるプラズマディスプレイ装置における駆動電圧波形及び放電の時期を示すタイミングチャート図である。
【００５５】
上述したように、実施の形態１においては、１フィールドの最初に、すべての放電セルＣで一斉に初期化放電を発生させる初期化期間を設けている。また、第１の表示電極対グループＩ及び第２の表示電極対グループＩＩの各サブフィールドにおける維持期間に、維持期間で放電した放電セルＣに対して消去放電を発生させる消去期間を設けている。第１の表示電極対からＳＦ１の書き込みを開始し、第１の表示電極対グループＩの書き込み期間終了後に第２の表示電極対グループＩＩの、ＳＦ１の書き込みが開始される。この際、第１の表示電極対グループＩは維持期間となり、維持放電が行われる。第２表示電極対グループＩＩのＳＦ１終了後、第１の表示電極対グループＩにはＳＦ２の書き込みが開始される。この第１の表示電極対グループＩの、ＳＦ２の書き込み期間に第２の表示電極対グループＩＩにおいてはＳＦ１の維持放電が行われる維持期間となる。ＳＦ３以降も、同様に一方の表示電極対グループが維持期間である間は他方の表示電極対グループが書き込み期間となる。書き込みはデータ電極Ｄｍと走査電極ＳＣｉとに連続的に行われる。サブフィールドごとに、第１の表示電極対グループＩの走査電極ＳＣ１〜ＳＣ１０７９及びＳＣ１０８１、第２の表示電極対グループＩＩの走査電極ＳＣ１０８０及びＳＣ１０８２〜ＳＣ２１６０の順序で書き込みが行われる。以下、図８に具体例を挙げて説明する。
【００５６】
図８は図４に示されるプラズマディスプレイ装置における駆動電圧波形を示すグラフである。図８に示すように、初期化期間では、すべての放電セルＣに対して初期化放電が行われる。まず、データ電極Ｄ１〜Ｄｍ及び維持電極ＳＵ１〜ＳＵ２１６０にはそれぞれ０Ｖが印加される。走査電極ＳＣ１〜ＳＣ２１６０には、放電開始電圧以下の電圧Ｖｉ１から放電開始電圧を超える電圧Ｖｉ２に向かって、緩やかに上昇する傾斜波形電圧が印加される。この傾斜波形電圧が上昇する間、走査電極ＳＣ１〜ＳＣ２１６０と維持電極ＳＵ１〜ＳＵ２１６０との間、及び、走査電極ＳＣ１〜ＳＣ２１６０とデータ電極Ｄ１〜Ｄｍとの間で、微弱な初期化放電が発生する。これにより、走査電極ＳＣ１〜ＳＣ２１６０上には、負の壁電圧が蓄積されるとともに、データ電極Ｄ１〜Ｄｍ上及び維持電極ＳＵ１〜ＳＵ２１６０上には、正の壁電圧が蓄積される。ここで、電極上の壁電圧とは、電極を覆う誘電体層上、保護層上、蛍光体層上等に蓄積された壁電荷により生じる電圧を表す。
【００５７】
次に、維持電極ＳＵ１〜ＳＵ２１６０には、正の電圧Ｖｅ１が印加される。走査電極ＳＣ１〜ＳＣ２１６０には、放電開始電圧以下となる電圧Ｖｉ３から放電開始電圧を超える電圧Ｖｉ４に向かって、緩やかに下降する傾斜波形電圧が印加される。この傾斜波形電圧が下降する間、走査電極ＳＣ１〜ＳＣ２１６０と維持電極ＳＵ１〜ＳＵ２１６０との間、及び、走査電極ＳＣ１〜ＳＣ２１６０とデータ電極Ｄ１〜Ｄｍとの間で、微弱な初期化放電が発生する。これにより、走査電極ＳＣ１〜ＳＣ２１６０上の負の壁電圧及び維持電極ＳＵ１〜ＳＵ２１６０上の正の壁電圧が低くなるとともに、データ電極Ｄ１〜Ｄｍ上の正の壁電圧は書き込み動作に適した値に調整される。
【００５８】
その後、走査電極ＳＣ１〜ＳＣ２１６０には電圧Ｖｃが印加されて、初期化動作が終了する。
【００５９】
初期化期間終了後、第１の表示電極対グループＩに属する表示電極対においては、ＳＦ１における書き込み期間が開始される。具体的には、維持電極ＳＵ１〜ＳＵ１０７９，ＳＵ１０８１には、正の電圧Ｖｅ２が印加される。まず、１ライン目の走査電極ＳＣ１に、負の電圧Ｖａを持つ走査パルスが印加されると同時に、発光させるべき放電セルＣのデータ電極Ｄｋ（ｋは１〜ｍのいずれか）には、正の電圧Ｖｄを持つ書き込みパルスが印加される。このとき、データ電極Ｄｋと走査電極ＳＣ１との交差部の電圧差は、外部印加電圧の差（書き込みパルス電圧Ｖｄ−走査パルス電圧Ｖａ）にデータ電極Ｄｋ上の壁電圧と走査電極ＳＣ１上の壁電圧との差を加算したものとなり、放電開始電圧を超える。これにより、データ電極Ｄｋと走査電極ＳＣ１との間で放電が開始されて、後に維持電極ＳＵ１と走査電極ＳＣ１との間の放電へと進展し、書き込み放電が発生する。その結果、走査電極ＳＣ１上には、正の壁電圧が蓄積され、維持電極ＳＵ１上及びデータ電極Ｄｋ上には、負の壁電圧が蓄積される。
【００６０】
一方、書き込みパルス電圧Ｖｄを印加しなかったデータ電極と走査電極ＳＣ１との交差部の電圧は、放電開始電圧を超えないので、書き込み放電は発生しない。
【００６１】
次に、２ライン目の走査電極ＳＣ２に走査パルス電圧Ｖａが印加されるとともに、発光させるべき放電セルのデータ電極Ｄｋに書き込みパルス電圧Ｖｄが印加される。この時、走査パルス電圧Ｖａと書き込みパルス電圧Ｖｄとが同時に印加された２ライン目の放電セルＣでは、書き込み放電が発生し、書き込み動作が行われる。
【００６２】
上記書き込み動作は第１の表示電極対グループＩに属するすべての走査電極ＳＣ１〜ＳＣ１０７９，ＳＣ１０８１への書き込み動作が終了するまで繰り返され、発光させるべき放電セルＣに対して選択的に書き込み放電を発生させて、各電極上に壁電荷を形成する。
【００６３】
第１の表示電極対グループＩが書き込み期間の間、第２の表示電極対グループＩＩに属する走査電極ＳＣ１０７９，ＳＣ１０８１〜ＳＣ２１６０には初期化期間において印加された電圧Ｖｃが維持されるとともに、維持電極ＳＵ１０７９，ＳＵ１０８１〜ＳＵ２１６０には初期化期間において印加された電圧Ｖｅ１が維持され、放電の発生しない休止期間となる。
【００６４】
第１の表示電極対グループＩへの書き込み期間終了後、第１の表示電極対グループＩでは、ＳＦ１における維持期間が開始される。具体的には、走査電極ＳＣ１〜ＳＣ１０７９，ＳＣ１０８１に正の電圧Ｖｓを持つ維持パルスが印加されるとともに、維持電極ＳＵ１〜ＳＵ１０７９及びＳＣ１０８１に０Ｖが印加される。この時、書き込み放電が発生した放電セルＣでは、走査電極ＳＣｉ（ｉは１〜１０７９，１０８１のいずれか）と維持電極ＳＵｉ（ｉは１〜１０７９，１０８１のいずれか）との電圧差が、維持パルス電圧Ｖｓに走査電極ＳＣｉ上の壁電圧と維持電極ＳＵｉ上の壁電圧との差を加算したものとなり、放電開始電圧を超える。これにより、走査電極ＳＣｉと維持電極ＳＵｉとの間で維持放電が発生し、放電ガスが励起される。励起された放電ガスが安定状態に遷移する時に発生した紫外線により、蛍光体層３５が発光する。その結果、走査電極ＳＣｉ上には、負の壁電圧が蓄積され、維持電極ＳＵｉ上には、正の壁電圧が蓄積される。
【００６５】
一方、書き込み期間において、書き込み放電が発生しなかった放電セルＣでは、維持放電は発生せず、初期化期間の終了時における各電極上の壁電圧が保たれる。
【００６６】
所定期間経過後、走査電極ＳＣ１〜ＳＣ１０７９，ＳＣ１０８１に０Ｖが印加され、維持電極ＳＵ１〜ＳＵ１０７９，ＳＵ１０８１に正の維持パルス電圧Ｖｓが印加される。この時、維持放電が発生した放電セルでは、維持電極ＳＵｉと走査電極ＳＣｉとの電圧差が放電開始電圧を超えるので、再び維持電極ＳＵｉと走査電極ＳＣｉとの間で維持放電が発生する。その結果、維持電極ＳＵｉ上には、負の壁電圧が蓄積され、走査電極ＳＣｉ上には、正の壁電圧が蓄積される。
【００６７】
以降同様に、走査電極ＳＣ１〜ＳＣ１０７９，ＳＣ１０８１と維持電極ＳＵ１〜ＳＵ１０７９，ＳＵ１０８１とに交互に維持パルス電圧Ｖｓを印加して、走査電極ＳＣ１〜ＳＣ１０７９，ＳＣ１０８１と維持電極ＳＵ１〜ＳＵ１０７９，ＳＵ１０８１との間に電位差を与えることにより、書き込み期間において書き込み放電を発生させた放電セルＣにおいて、継続した維持放電が行われる。
【００６８】
維持期間終了後の消去期間では、走査電極ＳＣ１〜ＳＣ１０７９，ＳＣ１０８１と維持電極ＳＵ１〜ＳＵ１０７９，ＳＵ１０８１との間に、いわゆる細幅パルス状の電圧差を与えて、データ電極Ｄｋ上の正の壁電圧を残したまま、走査電極ＳＣｉ上及び維持電極ＳＵｉ上の壁電圧を消去する。
【００６９】
第１の表示電極対グループＩが維持期間である間、第２の表示電極対グループＩＩでは書き込み動作が行われる。具体的には、初期化期間終了後、第２の表示電極対グループＩＩでは、休止期間を経て、ＳＦ１における書き込み期間が開始される。書き込み期間では、維持電極ＳＵ１０８０，ＳＵ１０８２〜ＳＵ２１６０に正の電圧Ｖｅ２が印加される。第２の表示電極対グループＩＩの１ライン目となる（最も上部にある表示電極対を構成する）走査電極ＳＣ１０８０には、負の電圧Ｖａを持つ走査パルス電圧が印加されるとともに、発光させるべき放電セルＣのデータ電極Ｄｋ（ｋは１〜ｍのいずれか）には、正の電圧Ｖｄを持つ書き込みパルス電圧が印加される。この時、データ電極Ｄｋと走査電極ＳＣ１０８０との交差部の電圧差は、外部印加電圧の差（書き込みパルス電圧Ｖｄ−走査パルス電圧Ｖａ）にデータ電極Ｄｋ上の壁電圧と走査電極ＳＣ１０８０上の壁電圧との差を加算したものとなり、放電開始電圧を超える。これにより、データ電極Ｄｋと走査電極ＳＣ１０８０との間で放電が開始されて、後に維持電極ＳＵ１０８０と走査電極ＳＣ１０８０との間の放電へと進展し、書き込み放電が発生する。その結果、走査電極ＳＣ１０８０上には、正の壁電圧が蓄積され、維持電極ＳＵ１０８０上及びデータ電極Ｄｋ上には、負の壁電圧が蓄積される。
【００７０】
次に、第２の表示電極対グループＩＩの２ライン目となる走査電極ＳＣ１０８２に走査パルス電圧Ｖａが印加されるとともに、発光させるべき放電セルＣのデータ電極Ｄｋに書き込みパルス電圧Ｖｄが印加される。この時、走査パルス電圧Ｖａと書き込みパルス電圧Ｖｄとが同時に印加された走査電極ＳＣ１０８２上の放電セルＣ（第２の表示電極対グループＩＩにおける２ライン目の放電セルＣ）では、書き込み放電が発生し、書き込み動作が行われる。
【００７１】
上記書き込み動作は第２の表示電極対グループＩＩに属するすべての走査電極ＳＣ１０８０，ＳＣ１０８２〜ＳＣ２１６０への書き込み動作が終了するまで繰り返され、発光させるべき放電セルＣに対して選択的に書き込み放電を発生させて、各電極上に壁電荷を形成する。
【００７２】
なお、上述したように、第１の表示電極対グループＩ及び第２の表示電極対グループＩＩのいずれか一方が、消去期間に該当するときは、他方の表示電極対グループにおいても書き込み動作を行わないことが望ましい。これは、消去期間は壁電圧を消去するだけでなく、次の書き込み期間の書き込み動作に備えて、データ電極Ｄｋ上の壁電圧を調整する期間でもあるため、データ電極Ｄｋの電圧を固定しておくことが望ましいからである。
【００７３】
第２の表示電極対グループＩＩでは、第１の表示電極対グループＩと同様、ＳＦ１での書き込み期間が終了すると、維持期間、消去期間、そして、ＳＦ２における書き込み期間へと移る。ＳＦ２以降は、維持期間が短くなるため、消去期間後から次のサブフィールドまでは、維持放電が発生しない停止期間が生じる。
【００７４】
こうして、第２の表示電極対グループＩＩにおけるＳＦ１０での消去期間終了まで、上記駆動方式における動作が繰り返されることにより、１フィールドが終了する。
【００７５】
本実施の形態においては、第３の表示領域３９が第１の表示電極対グループＩに属する表示電極対と第２の表示電極対グループＩＩに属する表示電極対が１つずつ交互に配列する構成であるため、書き込みの順序は、第１の表示領域３７に含まれる表示電極対（１〜１０７９ライン）、第３の表示領域３９に含まれる表示電極対（１０８１ライン、１０８０ライン）及び第２の表示領域３８に含まれる表示電極対（１０８２ライン〜２６１０ライン）の順となる。
【００７６】
（表示領域の輝度差）
第３の表示領域３９は、第１の表示電極対グループＩに属する表示電極対のみが並んだ第１の表示領域３７の輝度と第２の表示電極対グループＩＩに属する表示電極対のみが並んだ第２の表示領域３８の輝度との間の輝度を有している。本実施の形態の第３の表示領域３９においては、第１の表示電極対グループＩの１つの表示電極対と第２の表示電極対グループＩＩの１つの表示電極対とが交互に並んでいるため、第３の表示領域３９の平均輝度は、第１の表示領域３７の輝度と第２の表示領域３８の輝度との総和の５０％となる。例えば、回路のインピーダンスの差によって、第１の表示領域３７の輝度が６００ｃｄ／ｍ２、第２の表示領域３８の輝度が５９４ｃｄ／ｍ２となった場合、第３の表示領域３９の平均輝度は５９７ｃｄ／ｍ２となる。第１の表示領域３７と第２の表示領域３８との間で輝度差が生じても、第１の表示領域３７と第２の表示領域３８との間に中間的な輝度を有する第３の表示領域３９が存在することにより、第１の表示領域３７と第２の表示領域３８との間で輝度差が緩やかに変化する。
【００７７】
（実施の形態１の効果）
以上に説明したように、本実施の形態においては、第１の表示電極対グループＩの書き込み期間に第２の表示電極対グループＩＩの維持期間を重ねて駆動することができるので、１サブフィールドの駆動時間を短縮でき、その分、１フィールド内に設定するサブフィールド数を増やすことができる。しかも、このように維持期間がずれる表示電極対グループＩが連続して並ぶ第１の表示領域３７と第２の表示領域３８との間の、第３の表示領域３９において、第１の表示電極対グループＩに属する１つの表示電極対と第２の表示電極対グループＩＩに属する１つの表示電極対とが交互に並んでおり、第１の表示領域３７と第２の表示領域３８との間で輝度差が緩やかに変化するため、第１の表示領域３７と第２の表示領域３８との間で視認性が悪化するのを防止することができる。したがって、表示画面の高輝度化及び階調数の増大を図りつつ視認性を高くすることができる。さらに、第１の表示電極対グループＩに属する表示電極対と第２の表示電極対グループＩＩに属する表示電極対とが交互に並べられる、第３の表示領域３９における表示電極対から伸延された引き出し電極間の間隔を広くしたため（ＰＤＰ１０におけるガラスフリットＦより外側の領域における引き出し電極間間隔を広くしたため）、維持期間中の表示電極対グループと書き込み期間中の表示電極対グループが隣接した構成でも引き出し電極間で絶縁破壊することなく信頼性の高いプラズマディスプレイパネルを得ることができる。特に、高精細なセル構成になるほど表示電極対間の間隔が狭くなり、引き出し電極間で絶縁破壊が生じ易くなるため有用である。
【００７８】
なお、本実施の形態では、第２の表示電極対グループＩＩにおけるＳＦ１０以外はサブフィールド期間を等価にした例を示したが、一方の表示電極対グループが維持期間中に他方の表示電極対グループで書き込みを行う駆動方法であれば同様の効果を得ることができるため、各サブフィールド期間を異なる時間に設定することも可能である。
【００７９】
また、本実施の形態においては、走査電極ＳＣｉから伸延された走査引き出し電極４０の引き出し電極間間隔についてのみ説明したが、維持電極ＳＵｉから伸延された維持引き出し電極の引き出し電極間間隔についても同様に構成されてもよい。
【００８０】
[実施の形態２]
続いて、本発明の実施の形態２に係るＰＤＰについて説明する。実施の形態２は、第３の表示領域３９が第１の表示電極対グループＩに属する１つの表示電極対と第２の表示電極対グループＩＩに属する表示電極対とが交互に３ラインずつ（計６ライン）並んだ例を示している。すなわち、第３の表示領域３９は、異なる表示電極対グループが交互に並んだ表示電極対の組が複数組（３組）設けられて構成されている。
【００８１】
図９は、本発明の実施の形態２に係るＰＤＰの引き出し電極部を示す模式図である。走査電極及び維持電極からなる表示電極対は「ライン」の単位で説明する。表示電極対のうち１〜１０７７ラインは、第１の表示領域３７として構成され、第１の表示電極対グループＩの表示電極対が連続的に並べられる。１０８４〜２１６０ラインは、第２の表示領域３８として構成され、第２の表示電極対グループＩＩの表示電極対が連続的に並べられる。表示電極対のうち１０７８〜１０８３ラインは、第３の表示領域３９として構成され、１０７８，１０８０，１０８２ラインが第２の表示電極対グループＩＩに属する表示電極対で構成され、１０７９，１０８１，１０８３ラインが第１の表示電極対グループＩに属する表示電極対で構成される。さらに、第３の表示領域３９における走査電極ＳＣ１０７７〜ＳＣ１０８４から伸延される走査引き出し電極４０の引き出し電極間間隔Ｓ３は、第１の表示領域３７における走査電極ＳＣ１〜ＳＣ１０７７及び第２の表示領域３８における走査電極ＳＣ１０８４〜ＳＣ２１６０から伸延された引き出し電極の引き出し電極間間隔Ｓ１，Ｓ２より広くなっている。なお、引き出し電極間間隔Ｓ１とＳ２とは同じ幅でもよい。このような構成では、異なる表示電極対グループに属する表示電極対が隣接し、高い電圧差が生じても、引き出し電極間での絶縁破壊の発生を防止することができる。なお、誘電体層の誘電率やパネル構造によって絶縁破壊に至る電極間距離は異なるため、それに応じて引き出し電極間間隔も適宜設定される。
【００８２】
（ＰＤＰ１０の駆動方法）
本実施の形態におけるＰＤＰの駆動方法について図１０のタイムチャートを参照しながら説明する。図１０は、図９に示されるＰＤＰを有するプラズマディスプレイ装置における駆動電圧波形及び放電の時期を示すタイミングチャート図である。初期化期間、第１の表示電極対グループＩ及び第２の表示電極対グループＩＩの各サブフィールドにおける維持期間、書き込み期間及び消去期間は、実施の形態１と同様である。書き込みはデータ電極Ｄｋと走査電極ＳＣｉとに連続的に行われる。サブフィールドごとの書き込みは、第１の表示電極対グループＩに属する走査電極ＳＣ１〜ＳＣ１０７７，ＳＣ１０７９，ＳＣ１０８１，ＳＣ１０８３及び第２の表示電極対グループＩＩに属する走査電極ＳＣ１０７８，ＳＣ１０８０，ＳＣ１０８２，ＳＣ１０８４〜ＳＣ２１６０の順序で行われる。
【００８３】
（実施の形態２の効果）
実施の形態２によれば、実施の形態１と同様第３の表示領域３９により第１の表示領域３７と第２の表示領域３８との間の輝度差感を低減することができる。さらに、第１の表示電極対グループＩに属する表示電極対と第２の表示電極対グループＩＩに属する表示電極対とが交互に並べられる、第３の表示領域３９における表示電極対から伸延された引き出し電極間の間隔を広くしたため、第１の表示電極対グループＩに属する表示電極対と第２の表示電極グループＩＩに属する表示電極対とが隣接する配置でも引き出し電極間で絶縁破壊が発生することなく、信頼性の高いプラズマディスプレイパネルを得ることができる。また、第３の表示領域３９における表示電極対のライン数は実施の形態１のように２ラインのみで構成されてもよいが、本実施の形態のように表示電極対のライン数を増やすことにより輝度差感をより低減させて視認性の高いプラズマディスプレイパネルを得ることができる。なお、第３の表示領域３９におけるライン数は本実施の形態より少なくても多くてもよく、例えば数１０ラインで構成されてもよい。
【００８４】
[実施の形態３]
（走査引き出し電極部の平面図）
続いて、本発明の実施の形態３に係るＰＤＰについて説明する。実施の形態３は、実施の形態１と同様の構造のＰＤＰを用いて、第３の表示領域が第１の表示電極対グループＩに属する２つの表示電極対と第２の表示電極対グループＩＩに属する２つの表示電極対が交互に並べられた例を示している。図１１は、本発明の実施の形態３に係るＰＤＰの引き出し電極部を示す模式図である。本実施の形態においても表示電極対のライン数は２１６０である。
【００８５】
表示電極対のうち１〜１０７８ラインは、第１の表示領域３７として構成され、第１の表示電極対グループＩに属している。また、表示電極対のうち１０８３〜２１６０ラインは、第２の表示領域３８として構成され、第２の表示電極対グループＩＩに属している。表示電極対のうち１０７９〜１０８２ラインは、第３の表示領域３９として構成されている。第３の表示領域３９において１０８１及び１０８２ラインの表示電極対が第１の表示電極対グループＩＩに属する第１部３９１として構成され、１０７９及び１０８０ラインの表示電極対が第２の表示電極対グループＩＩに属する第２部３９２として構成されている。
【００８６】
さらに、第３の表示領域３９において隣り合う走査電極ＳＣ１０７８〜ＳＣ１０８３の属する表示電極対グループが互いに異なる走査電極（ＳＣ１０８０，ＳＣ１０８１）及び（ＳＣ１０８２、ＳＣ１０８３）から伸延された走査引き出し電極４０の引き出し電極間間隔Ｓ３は、第１の表示領域３７における走査電極ＳＣ１〜ＳＣ１０７８及び第２の表示領域３８における走査電極ＳＣ１０８３〜ＳＣ２１６０の引き出し電極間間隔Ｓ１，Ｓ２より広くなっている。ただし、第３の表示領域３９における走査電極ＳＣ１０７９とＳＣ１０７８とは同じ第２の表示電極対グループＩＩ同士が並んでいるため、引き出し電極間間隔は第２の表示領域３８における走査電極ＳＣ１０８３〜ＳＣ２１６０の引き出し電極間間隔Ｓ２と同じ幅でよい。同様に第３の表示領域３９における走査電極ＳＣ１０８１とＳＣ１０８２とは、同じ第１の表示電極対グループＩ同士が並んでいるため、引き出し電極間間隔は第１の表示領域３７における走査電極ＳＣ１〜ＳＣ１０７８の引き出し電極間間隔Ｓ１と同じ幅でよい。なお、引き出し電極間間隔Ｓ１とＳ２とは同じ幅でもよい。このような構成では、異なる表示電極対グループに属する表示電極対が隣接し高い電圧差が生じても、引き出し電極間での絶縁破壊の発生を防止することができる。なお、誘電体層の誘電率やパネル構造によって絶縁破壊に至る電極間距離は異なるため、それに応じて引き出し電極間間隔も適宜設定される。
【００８７】
（ＰＤＰ１０の駆動方法）
本実施の形態におけるＰＤＰの駆動方法について図１２のタイムチャートを参照しながら説明する。図１２は図１１に示されるＰＤＰを有するプラズマディスプレイ装置における駆動電圧波形と放電の時期を示すタイミングチャート図である。初期化期間、第１の表示電極対グループＩ及び第２の表示電極対グループＩＩの各サブフィールドにおける維持期間、書き込み期間及び消去期間は、実施の形態１と同様である。書き込みはデータ電極Ｄｋと走査電極ＳＣｉとに連続的に行われる。サブフィールドごとの書き込みは、第１の表示電極対グループＩに属する走査電極ＳＣ１〜ＳＣ１０７８，ＳＣ１０８１，ＳＣ１０８２及び第２の表示電極対グループＩＩに属する走査電極ＳＣ１０７９，ＳＣ１０８０，ＳＣ１０８３〜ＳＣ２１６０の順序で行われる。
【００８８】
（実施の形態３の効果）
実施の形態３によれば、実施の形態１と同様第３の表示領域３９により第１の表示領域３７と第２の表示領域３８との間の輝度差感を低減することができる。さらに、第１の表示電極対グループＩに属する表示電極対と第２の表示電極対グループＩＩに属する表示電極対とが交互に並べられる、第３の表示領域３９における表示電極対から伸延された引き出し電極間の間隔を広くしたため、第１の表示電極対グループＩに属する表示電極対と第２の表示電極グループＩＩに属する表示電極対とが隣接する配置でも引き出し電極間で絶縁破壊が発生することなく、信頼性の高いプラズマディスプレイパネルを得ることができる。また、第３の表示領域３９における表示電極対のライン数は実施の形態１のように２ラインのみで構成されてもよいが、本実施の形態のように表示電極対のライン数を増やす（異なる表示電極対グループが交互に並んだ表示電極対の組の数を増やす）ことにより輝度差感をより低減させて視認性の高いプラズマディスプレイパネルを得ることができる。なお、第３の表示領域３９におけるライン数は本実施の形態より少なくても多くてもよく、例えば数１０ラインで構成されてもよい。
【００８９】
[実施の形態４]
（表示領域）
続いて、本発明の実施の形態３に係るＰＤＰについて説明する。図１３は、本発明の実施の形態４に係るＰＤＰ１０の表示領域を示す模式図である。
【００９０】
本実施の形態においては、第３の表示領域が複数設けられている。具体的には、第２の表示電極対グループＩＩが連続して並ぶ第２の表示領域３８が表示領域の中央に位置している。また、第１の表示電極対グループＩが連続して並ぶ第１の表示領域は、表示領域の上部と下部に分かれて配置される（以下、第１の表示領域の上部は第１の表示領域３７ａ、第１の表示領域の下部は第１の表示領域３７ｂと記す）。第１の表示電極対グループＩに属する表示電極対と第２の表示電極対グループＩＩに属する表示電極対とが交互に並んだ第３の表示領域３９ａ，３９ｂは、第２の表示領域３８と各第１の表示領域３７ａ，３７ｂの間に並べられている。
【００９１】
本実施の形態においてもＰＤＰ１０は、２１６０ラインの表示電極対を有している。表示電極対のうち１〜５３９ラインは第１の表示領域３７ａとして構成され、第１の表示電極対グループＩに属している。表示電極対のうち５４０〜５４１ラインは第３の表示領域３９ａとして構成され、５４０ラインが第２の表示電極対グループＩＩに属し、５４１ラインが第１の表示電極対グループＩに属している。表示電極対のうち５４２〜１６１９ラインは第２の表示領域３８として構成され、第２の表示電極対グループＩＩに属している。表示電極対のうち１６２０〜１６２１ラインは第３の表紙領域３９ｂとして構成され、１６２０ラインが第１の表示電極対グループＩに属し、１６２１ラインが第２の表示電極対グループＩＩに属している。表示電極対のうち１６２２〜２１６０ラインは第１の表示領域３７ｂとして構成され、第１の表示電極対グループＩに属している。
【００９２】
本実施の形態では、第３の表示領域３９ａ，３９ｂのそれぞれにおいて、第１の表示電極対グループＩに属する１つ表示電極対と第２の表示電極対グループＩＩに属する１つの表示電極対とが交互に並んでいる構成について説明するが、本発明はこれに限られず、例えば第１の表示電極対グループＩに属する２以上の表示電極対と第２の表示電極対グループＩＩに属する２以上の表示電極対とが交互に並んで（すなわち、２つ以上おきに表示電極対グループが異なるように配列されて）いてもよい。また、本実施の形態においては、異なる表示電極対グループが交互に並んだ表示電極対の組は１組だけである（第３の表示領域３９ａ，３９ｂはそれぞれ２つの表示電極対で構成されている）が、２組以上設けることとしてもよい。また、第３の表示領域３９ａ，３９ｂはそれぞれ数十ラインで構成されてもよい。なお、表示領域の中央に第１の表示領域３７を配置し、第１の表示領域３７の上下に第２の表示領域３８を配置し、当該第１の表示領域３７と上下の第２の表示領域３８との間にそれぞれ第３の表示領域３９ａ，３９ｂを配置しても同様の効果が得られる。
【００９３】
（引き出し電極の構成）
ここで、本実施の形態のＰＤＰ１０を有するプラズマディスプレイ装置における引き出し電極部について説明する。図１４及び図１５は、図１３に示されるＰＤＰ１０を有する、プラズマディスプレイ装置における第３の表示領域３９ａ，３９ｂの走査引き出し電極部を示す模式図である。
【００９４】
走査引き出し電極４０の間隔（スペース）は、図１４に示される走査電極ＳＣ１〜ＳＣ５３９及び図１５に示される走査電極ＳＣ１６２２〜ＳＣ２１６０に対応する各走査引き出し電極間の間隔を第１の引き出し電極間間隔Ｓとし１、図１４及び図１５に示される走査電極ＳＣ５４２〜１６１９に対応する各走査引き出し電極間の間隔を第２の引き出し電極間間隔Ｓ２とし、図１４に示される走査電極ＳＣ５３９〜ＳＣ５４２及び図１５に示される走査電極ＳＣ１６１９〜ＳＣ１６２２に対応する各走査引き出し電極間の間隔を第３の引き出し電極間間隔Ｓ３とする時、第３の引き出し電極間間隔Ｓ３は第１及び第２の引き出し電極間間隔Ｓ１，Ｓ２より広げられている。なお、第１の引き出し電極間間隔Ｓ１と第２の引き出し電極間間隔Ｓ２とは同じ幅でもよい。例えば、引き出し電極の幅を0.26mmとするとき、各引き出し電極間間隔をＳ１＝0.26mm、Ｓ２＝0.26mm、Ｓ３＝0.52mmに設定すればよい。この構成によれば、異なる表示電極対グループが隣接し、それに対応する引き出し電極間に高い電圧差が生じても、絶縁破壊が発生しない十分な距離を保つことができる。なお、誘電体層の誘電率やパネル構造によって絶縁破壊に至る電極間距離は異なるため、それに応じて引き出し電極間間隔も適宜設定される。
【００９５】
（実施の形態４の効果）
実施の形態４によれば、実施の形態１と同様第３の表示領域３９ａ，３９ｂにより第１の表示領域３７ａ，３７ｂと第２の表示領域３８との間の輝度差感を低減することができる。さらに、見る人が輝度ムラを感じやすいパネルの中央部は同じ表示電極対グループの表示電極対が配置されるため、輝度差感がより緩和され視認性を高くすることができる。さらに、第１の表示電極対グループＩに属する表示電極対と第２の表示電極対グループＩＩに属する表示電極対とが交互に並べられる第３の表示領域３９ａ，３９ｂにおける表示電極対から伸延された引き出し電極間の間隔を広くしたため、第１の表示電極対グループＩに属する表示電極対と第２の表示電極グループＩＩに属する表示電極対とが隣接する配置でも引き出し電極間で絶縁破壊が発生することを防止することができ、信頼性の高いプラズマディスプレイを提供できる。
【産業上の利用可能性】
【００９６】
本発明によれば、２１６０ライン以上の超高精細パネルであっても、視認性が高く、高い信頼性を得ることができるので、高精細のプラズマディスプレイパネルを駆動する上で有用である。
【符号の説明】
【００９７】
１０  プラズマディスプレイパネル（ＰＤＰ）
２１  前面基板
２２  走査電極
２２ａ，２３ａ  透明電極
２２ｂ，２３ｂ  バス電極
２３  維持電極
２４  表示電極対
２５，３３  誘電体層
２６  保護層
２９  ブラックストライプ
３１  背面基板
３２  データ電極
３４  隔壁
３５  蛍光体層
３７，３７ａ，３７ｂ  第１の表示領域
３８  第２の表示領域
３９，３９ａ，３９ｂ  第３の表示領域
３９１  第１部
３９２  第２部
ＳＣｉ（ｉ＝１〜ｎ）  走査電極
ＳＵｉ（ｉ＝１〜ｎ）  維持電極
Ｄｋ（ｋ＝１〜ｍ）  データ電極
【図１】
2011232464.tif 000003
【図２】
2011232464.tif 000004
【図３】
2011232464.tif 000005
【図４】
2011232464.tif 000006
【図５】
2011232464.tif 000007
【図６】
2011232464.tif 000008
【図７】
2011232464.tif 000009
【図８】
2011232464.tif 000010
【図９】
2011232464.tif 000011
【図１０】
2011232464.tif 000012
【図１１】
2011232464.tif 000013
【図１２】
2011232464.tif 000014
【図１３】
2011232464.tif 000015
【図１４】
2011232464.tif 000016
【図１５】
2011232464.tif 000017
【図１６】
2011232464.tif 000018
【図１７】
2011232464.tif 000019